(57)【要約】【課題】本発明は、簡易な打込み深さ調整手段を有する手持ち式締結工具を提供することを目的とする。【解決手段】本発明の手持ち式締結工具は、ピンガイド(１０)を通して支持材内に締結具を打ち込むシャフト（３）を有するピストン（１）を推進するエンジン（４）を具備し、ピストンの推進終了時であって停止手段に対する当接による停止時におけるピンガイド(１０)から外側へのピストンのシャフト（３）の打込み深さを調整する手段(１１、１５)を備える。ピンガイド（１０）は移動可能に取り付けれ、打込み深さを調整する手段は、調整用節部（１１）であって、該調整用節部(１１)の回転作用によりピンガイド（１０、１９、２０）に対して当接してピンガイドを前方に押すように構成された節部用シャフト（１５）を備える調整用節部を有する。【選択図】図２
2011121168.tif 000002
【特許請求の範囲】
【請求項１】
手持ち式締結工具であって、ピンガイド(１０)を通して支持材内に締結具を打ち込むシャフト（３）を有するピストン（１）を推進するエンジン（４、６）を具備し、前記ピストンの推進終了時であって停止手段に対する当接による停止時における前記ピンガイド(１０)から外側への前記ピストンの前記シャフト（３）の打込み深さを調整する手段(１１、１５)を備える手持ち式締結工具において、
前記ピンガイド(１０)は移動可能に取り付けれ、
前記打込み深さを調整する手段は、調整用節部（１１）であって、該調整用節部の回転作用により前記ピンガイド（１０、１９、２０）に対して当接して前記ピンガイドを前方に押すように構成された節部用シャフト（１５）を備える調整用節部を有する、ことを特徴とする締結工具。
【請求項２】
前記推進エンジンは、流体燃料による内燃機関とされ、工具のバレル（９）上にケージ用ヨーク（８）により滑動可能に取り付けられたケージ（６）により閉鎖されうる燃焼チャンバーを備え、前記ピンガイド（１０）が滑動可能に取り付けられ、前記燃焼チャンバーおよび前記ケージ（６）が互いに一体化され、前記調整用節部（１１）が前記ケージ用ヨーク（８）上に回転可能に取り付けられる、請求項１に記載の締結工具。
【請求項３】
前記節部用シャフト(１５)は、ケージ用ヨーク（８）のブリッジ（１３）にわたり延在し、前記調整用節部（１１）を回転させることにより、ケージ用ヨーク（８）のブリッジ(１３)を通した前記節部用シャフト(１５)の平行移動をもたらす、請求項１または請求項２に記載の締結工具。
【請求項４】
前記節部用シャフト（１５）の前端部は、前記ケージ用ヨーク（８）に対する後方当接縁部（１８)を有する、請求項１から請求項３のいずれか一つの請求項に記載の締結工具。
【請求項５】
前記調整用節部（１１）は、割出し式回転をもたらすディスク部分(２１)であって前記ケージ用ヨーク（８）と弾性的に協働するように構成されたディスク部分を有する、請求項１から請求項４のいずれか一つの請求項に記載の締結工具。
【請求項６】
前記節部用シャフト（１５）は、その端部に前記ピンガイド（１０）のためのスラストディスク（１７）を有する、請求項１から請求項５のいずれか一つの請求項に記載の締結工具。
【請求項７】
前記ピンガイド（１０)は、当接ディスク（２０）を後方端部に備える脚部（１９）を有する、請求項６に記載の締結工具。
【発明の詳細な説明】
【技術分野】
【０００１】
本発明は、例えば、釘止め式あるいはステープル止め式の手持ち式締結工具に関する。
【背景技術】
【０００２】
このような工具は、燃料（具体的には、ガス状あるいは粉体状の燃料）の点火作用により打込み動作をもたらすべく構成される推進式エンジンとして称されうるものと、支持材内へ締結具を打ち込むためのロッドを備えるピストン（あるいは、重し）とを備える。
【０００３】
工具の前方部分には、打ち込まれるべき締結具が配置される締結具ガイドがある。点火は、締結具ガイドを介して工具が支持材に対して当接された後のみにもたらされることができる。
【０００４】
支持材内への締結具の侵入深さは、締結具の長さに依存し、また、発射終了時に締結具ガイドから外側に突出するピストンロッドの長さに依存する。したがって、打込み深さを、締結具の長さや、締結具のヘッド部の支持材内への埋め込みの必要性に応じて正確に調整したい、また、アクセサリーが支持材に固定される場合には該アクセサリーの破損の回避の要望に応じて正確に調整したい、あるいは同様に例えば、支持材の破損の回避あるいは損傷領域の形成の回避の要望に応じて正確に調整したい、という要望があることがわかっている。
【０００５】
打込み深さ調整装置を提供することは既に提案されているが、それらは非常に複雑なものであった。第１部分が持ち上げられ、２本のネジが抜かれ、キーが移動され、ネジが再び締め込まれ、第１部分が所定位置に戻され、これらの全てが器具を使用してなされる。
【先行技術文献】
【特許文献】
【０００６】
【特許文献１】欧州特許出願 EP 1,934,018号
【特許文献２】米国特許 5,385,286号
【発明の概要】
【発明が解決しようとする課題】
【０００７】
本発明の目的は、とりわけ簡易な調整装置を備える工具を提供することである。
【課題を解決するための手段】
【０００８】
従って、本発明は、手持ち式締結工具であって、ピンガイドを通して支持材内に締結具を打ち込むシャフトを有するピストンを推進する（押出す）エンジンを具備し、ピストンの推進終了時であって停止手段に対する当接による停止時におけるピンガイドから外側へのピストンシャフトの打込み深さを調整する手段を備える手持ち式締結工具に関し、ピンガイドが移動可能に取り付けれ、打込み深さを調整する手段が、調整用節部であって、該節部の回転作用によりピンガイドに対して当接してピンガイドを前方に押すように構成された節部用シャフトを備える調整用節部を有することを特徴とする。
【０００９】
発射後であって推進終了時における工具のピストンの位置は、停止手段により事前設定され、ピンガイドが前方に押されれば押されるほど、ピストンシャフトの打込み深さは低減される。
【００１０】
発射後に作業者が節部を多く回転させすぎたことに気付いた場合においては、次の発射前に、作業者が節部を逆方向に回転させ、新たな工具の当接時においては、ピンガイドは、良好な位置にて節部用シャフトに対して当接するように配置されるように戻される、ということは留意されるべきである。
【００１１】
欧州特許出願 EP 1,934,018号の工具もまた、調整用節部を備えて打込み深さを調整する手段を有する。しかしながら、この節部は、一方の方向および他方の方向において直接的にセンサーロッドと協働し、節部と協働するセンサーロッドの部分は、非常に正確な調整を得られるようにネジ切りされている。米国特許 5,385,286号は、ほぼ同様のタイプの深さ調整手段を開示している。
【００１２】
本発明の工具の好適な実施形態においては、推進エンジンは流体燃料による内燃機関とされ、工具のバレル(barrel)上にケージ用ヨーク(cage yoke)により滑動可能に取り付けられたケージにより閉鎖されうる燃焼チャンバー（燃焼室）を備え、ピンガイドが滑動可能に取り付けられ、燃焼チャンバーおよびケージが互いに一体化され、調整用節部がケージ用ヨーク上に回転可能に取り付けられる。
【００１３】
好適には、節部用シャフトはケージ用ヨークのブリッジ（橋）にわたり延在し、節部を回転させることにより、ケージ用ヨークのブリッジにわたる節部用シャフトの平行移動をもたらす。
【００１４】
好適には、節部用シャフトの前端部は、ケージ用ヨークに対する後方当接縁部を具備する。
【００１５】
調整用節部は、割出し式回転をもたらすディスク部分であってケージ用ヨークと弾性的に協働するように構成されたディスク部分を有する。
【００１６】
本発明は、添付された図面を参照する本発明の工具の好適な実施形態の以下の記載から、より良く理解されうる。
【図面の簡単な説明】
【００１７】
【図１】発射後であってピストン推進終了時の閉鎖状態であって、ピンガイドから外側のピストンの打込み深さを有していない状態における、工具の前部部分の斜視図である。
【図２】本工具の図１と同様の図であって、４分の１の部分の軸方向断面を含んで示された図である。
【図３】本工具の図１と同様の図であって、ピストンガイドの外側からピストンが突出している状態を示す図である。
【発明を実施するための形態】
【００１８】
以下に記載される手持ち式工具は、いわゆるガス式釘打ち機と称されるものであり、すなわち、プランジャーあるいはピストン１を前方へ推進して、本実施形態の釘のような締結具を支持材内へ打ち込むために、本実施形態のようなガス状の燃料と空気のような酸化剤との混合物を燃焼させる燃焼チャンバーを備える。ピストン１は、ヘッド部２とシャフト３とを有する。ヘッド部２は、シリンダー４内における混合物の点火作用により、停止ダンパー５に対して当接するまで平行移動可能に取り付けられる。点火前に、ケージ６の移動により燃焼チャンバーは閉鎖され、該ケージ６は、ヨーク８にて固定されるアーム７により延長され、ヨークと一体化される。ピストンシャフト３は、バレル９内にて平行移動可能に取り付けられ、該バレル９はピンガイド１０により前方に延在し、該ピンガイドは、本実施形態においては入れ子式にバレル９内に移動可能に取り付けられ、発射する事前に、釘が導入される。ケージ用ヨーク８は、バレル９の周囲に滑動可能に取り付けられる。工具は、ピンガイド１０の前方端部１００の外側へのピストンシャフト３の前方端部３０の打込み深さを調整する節部（knurl）１１を有し、このような打込み深さは、発射後においてピストンがダンパー５に対して当接してヘッド部２により停止されるような推進終了時に調整される。図１及び図２においては、打込み深さがゼロに調整されている。
【００１９】
節部１１は、節部用シャフトの後方シャフト部分１４及び前方シャフト部分１５のためのベアリングとして作用するケージ用ヨーク８の前方ブリッジ１３と後方ブリッジ１２との間に回転可能に取り付けられる。節部用シャフトの後方シャフト部分１４は、チャンバー(室）の当接スプリング１６のためのガイド（案内）として作用し、スプリング１６が座屈することを防止し、工具が当接されるときやチャンバーが開放されるときにチャンバーの閉鎖体で生じるスプリング（バネ）とのチャンバーの当接を防止する。
【００２０】
節部１１の前方シャフト部分１５は、その端部にバッファーガイド１０のためのスラストディスク(thrust disk)１７を有し、該スラストディスクの周辺縁部は、ケージ用ヨーク８の前方ブリッジ１３に対する後方支持縁部１８を形成する。節部用シャフト１５のスラストディスク１７と協働するために、ピンガイドは、節部用シャフト１５のスラストディスク１７の推力を受けるための当接ディスク２０を後方端部に備える脚部１９を有する。
【００２１】
調整用節部１１は、その前方部にて、節部の残りの部分と弾性的に接続される割り出しディスク２１を形成するように部分的に横方向スリットが入れられ、該割り出しディスク２１は、スリットの幅を低減して割り出し位置から割り出しディスクを開放しうるように、節部の主部分に対して後方に変形されうる。具体的には、節部１１の割り出しディスク２１は軸線方向に突出するボス２２を有し、該ボスは、ケージ用ヨーク８の前方ブリッジ１３の対応凹み部２３内に収容されうるように構成される。
【００２２】
節部１１が回転されると、節部用シャフトは前方に平行移動され、ケージ用ヨーク８の前方ブリッジ１３を介して節部の前方シャフト部分１５のスラストディスク１７とピンガイド１０の脚部１９の支持ディスク２０とにより、ピンガイド１０も前方に平行移動される。
【００２３】
節部が回転されるときに節部用シャフトを平行移動させる実施形態には種々の形態の可能性が考えられる。前方シャフト部分１５に雄ネジが形成され、ケージ用ヨーク８の前方ブリッジ１３に雌ネジが形成されてもよく、畝(land)や溝や四角物(squares)や他のピンを介して節部１１によりシャフトが回転されてもよい。均等な手段としては、例えば２つのシャフト及びブリッジ部材のいずれか一方のシャフト上のフィンガー（指部）であって、両部材の他方の部材上のガイド通路内に案内されるようなフィンガーが考えられる。
【００２４】
スラストディスク１７を備える前方シャフト部分１５により、節部１１は、ピンガイド１０の脚部１９を前方に押し、ピンガイドの前方端部１００の端部横断面と、ピストンシャフト３との間の距離を低減することを可能とする。ピンガイドが前方に移動されすぎると、続く工具の当接により補償されうる。
【００２５】
図１及び図２においては、ピンガイドから外側へのピストンシャフト３の突出は、ゼロに調整される。
【００２６】
図３における図１及び図２の参照番号と同じ参照番号は同様の要素を示すものであり、図３においては、推進終了後であって停止時におけるピストンシャフト３が、節部１１の更なる回転移動によりもたらされた軸線方向の小距離ｄにてバッファーガイドの外側から突出する。
【００２７】
一方向あるいは他方向に節部１１を回転させるためには、割り出しディスク２１を後方に押し戻し、節部を回転開始させることで十分である。節部の割り出し位置は、割り出しディスク２１上のボス２２の数量、及び、ケージ用ヨーク８の前方ブリッジ１３における凹み部２３の数量に依存する。
【符号の説明】
【００２８】
１    ピストン
３    シャフト
４    シリンダー
１０    ピンガイド
１１    調整用節部
【図１】
2011121168.tif 000003
【図２】
2011121168.tif 000004
【図３】
2011121168.tif 000005